(57)【要約】【課題】排紙トレイから用紙が落下しやすいという課題、及び、はみ出し部分が垂れ下がりやすいという課題を、排紙トレイの大型化を招くことなしに解消する。【解決手段】略水平方向に用紙Ｐを排出するための排紙口３を有した機器本体１と、この機器本体１の底壁１１側に設けられ排紙方向に引き出し可能な排紙トレイ４とを備えてなる機器であって、前記排紙トレイ４が、用紙Ｐを先に受ける基端側が前記底壁１１と略平行をなし且つ先端側に向かって漸次上昇するように湾曲する用紙案内面Ｓを備える。【選択図】図５
2010132434.tif 000002
【特許請求の範囲】
【請求項１】
略水平方向に用紙を排出するための排紙口を有した機器本体と、この機器本体の底壁側に設けられ排紙方向に引き出し可能な排紙トレイとを備えてなる機器であって、前記排紙トレイが、用紙を先に受ける基端側が前記底壁と略平行をなし且つ先端側に向かって漸次上昇するように湾曲する用紙案内面を備えたものであることを特徴とする機器。
【請求項２】
前記排紙トレイが、テレスコープ状に引き出し可能な複数枚のトレイメンバを備えたものである請求項１記載の機器。
【請求項３】
前記排紙トレイが、前記機器本体に保持され前記底壁に重合する収納位置から用紙を案内し得る使用位置までの間でスライド可能な第１のトレイメンバと、この第１のトレイメンバに保持され該第１のトレイメンバに重合する収納位置から用紙を案内し得る使用位置までの間でスライド可能な第２のトレイメンバとを備えてなるものである請求項２記載の機器。
【請求項４】
前記排紙トレイが、前記トレイメンバの最先端縁にヒンジを介して取り付けられ前記トレイメンバの上面一部に形成された凹陥部に収まる収納位置から前記用紙案内面を延長し得る使用位置までの間で反転可能な補助トレイメンバをさらに備えたものである請求項１、２又は３記載の機器。
【請求項５】
排紙口から排出される紙を受け止める排紙トレイであって、用紙を先に受ける基端側から先端側に向かって漸次上昇するように湾曲する用紙案内面を備えたものであることを特徴とする排紙トレイ。
【発明の詳細な説明】
【技術分野】
【０００１】
本発明は、排紙口に排紙トレイを備えた機器に関する。
【背景技術】
【０００２】
排紙口に排紙トレイを備えた機器として、スキャナ、プリンタ或いはファクシミリ等が知られている。
【０００３】
従来、この種の機器に装着されている排紙トレイは、平面状をなす用紙案内面を備えており、排紙口から略水平に排出される用紙を、その用紙案内面により案内しつつ受け止めるようになっている（例えば、特許文献１参照）。
【０００４】
ところが、このような構成のものでは、排紙口から勢いよく排出される用紙が、前記用紙案内面に案内されて遠方まで滑走し、排紙トレイから落下することがある。また、平面状をなす用紙案内面上に載置された用紙は、少しでも先端が排紙トレイよりも先方にはみ出していると、その自重により、はみ出し部分が下方に垂れ下がる現象が生じやすい。このような不具合は、排紙トレイを大きくすることにより防止することはできるが、排紙トレイの大型化には、周辺スペースの占有度合などの観点から一定の制限を受ける。
【特許文献１】特開平９−３２３８５６号公報
【発明の開示】
【発明が解決しようとする課題】
【０００５】
本発明は、排紙トレイから用紙が落下しやすいという課題、及び、はみ出し部分が垂れ下がりやすいという課題を、排紙トレイの大型化を招くことなしに解消することを目的としている。
【課題を解決するための手段】
【０００６】
本発明は、以上のような課題を解決するために、次のような構成を採用したものである。すなわち、本発明に係る機器は、略水平方向に用紙を排出するための排紙口を有した機器本体と、この機器本体の底壁側に設けられ排紙方向に引き出し可能な排紙トレイとを備えてなる機器であって、前記排紙トレイが、用紙を先に受ける基端側が前記底壁と略平行をなし且つ先端側に向かって漸次上昇するように湾曲する用紙案内面を備えたものであることを特徴とする。
【０００７】
このようなものであれば、機器本体の排紙口から導出される用紙の先端がまず用紙案内面の水平な部分で案内支持された後、漸次上方に持ち上げられながら排出されるため、平面姿勢のまま用紙を案内する場合に比べて、用紙に対する減速作用が大きくなり、用紙が排紙トレイを越えて前方に滑落する可能性を効果的に抑制することができる。また、用紙の先端側が斜め上前方に反り上がるようにしてはみ出すことになるため、用紙が反り上がることなく平面姿勢ではみ出す場合よりもはみ出し部分が垂れ下がる可能性を低くすることができる。したがって、引き出し寸法の比較的小さな排紙トレイを用いて比較的大きな寸法の用紙を適切に受け止めることが可能となる。また、排紙トレイの基端側が前記機器本体の底壁と略平行であるので、排紙口から排紙トレイへとスムーズに紙が誘導され得る。
【０００８】
さらに、排紙トレイが、テレスコープ状に引き出し可能な複数枚のトレイメンバを備えたものであれば、機器を使用しない時には排紙トレイを機器本体に押入させることによって、該排紙トレイ全体を略完全に底壁の下に収納することができる。一方、機器の使用時には、用紙の大きさに合わせてトレイメンバの枚数を調節してテレスコープ状に引き出すことができ、湾曲した用紙案内面が表出することになる。
【０００９】
このような排紙トレイとしては、前記機器本体に保持され前記底壁に重合する収納位置から用紙を案内し得る使用位置までの間でスライド可能な第１のトレイメンバと、この第１のトレイメンバに保持され該第１のトレイメンバに重合する収納位置から用紙を案内し得る使用位置までの間でスライド可能な第２のトレイメンバとを備えてなるものが好適である。
【００１０】
また、比較的大きな用紙を使用する場合の排紙トレイとしては、前記トレイメンバの最先端縁にヒンジを介して取り付けられ前記トレイメンバの上面一部に形成された凹陥部に収まる収納位置から前記用紙案内面を延長し得る使用位置までの間で反転可能な補助トレイメンバをさらに備えたものが好適である。このようなものであれば、用紙の大きさに合わせて補助トレイメンバを収納位置から反転することで、比較的大きな用紙を使用する場合であっても、用紙の先端が排紙トレイよりも先方にはみだすこと及びそのはみ出し部分が下方に垂れ下がる可能性を低くすることができる。
【００１１】
また、排紙口から排出される紙を受け止める排紙トレイとしては、用紙を先に受ける基端側から先端側に向かって漸次上昇するように湾曲する用紙案内面を備えたものが好ましい。
【発明の効果】
【００１２】
本発明によれば、排紙トレイから用紙が落下しやすいという課題、及び、はみ出し部分が垂れ下がりやすいという課題を、排紙トレイの大型化を招くことなしに解消することができる。
【発明を実施するための最良の形態】
【００１３】
以下、本発明に係る機器がスキャナである場合の一実施形態につき、図面を参照して説明する。
【００１４】
このスキャナは、図１ないし図８に示すように、略水平方向に用紙Ｐを排出するための排紙口３を有した機器本体１と、この機器本体１の底壁１１側に設けられ排紙方向に引き出し可能な排紙トレイ４とを備えてなる。
【００１５】
機器本体１は、図１に示すように、上面後部に給紙口２を有するとともに前面下部に排紙口３を備え、内部に前記給紙口２と前記排紙口３とを連通させる用紙通路Ｔを形成してなる。この用紙通路Ｔは、前記機器本体１内に設けた前後対をなす壁体１３、１４間に形成されたものである。この用紙通路Ｔの給紙口２側には、分離可能に束ねられた複数枚の用紙Ｐを受け入れ可能な受入領域Ｔ１が設けてある。そして、この受入領域Ｔ１に受け入れられた複数枚の用紙Ｐの先端部分を捌く捌き装置６と、この捌き装置６により捌かれる用紙Ｐを給紙ローラ７１により一枚ずつ引き込む給紙装置７と、この給紙装置７により引き込まれた用紙Ｐを搬送ローラ８１、８２により排紙口３方向に搬送する搬送装置８と、この搬送装置８により搬送されている用紙Ｐの両面を撮像する撮像装置９とを前記用紙通路Ｔに沿って配している。撮像を終えた用紙Ｐは、前記搬送ローラ８１、８２により排紙口３方向に送られ、この排紙口３から排紙トレイ４上に排出されるようになっている。この機器本体１は、図８に示すように、両側壁１２の内側面と、これら両側壁１２の下端近傍部間に架設された底壁１１の下面とによって囲まれた偏平な底部空間Ｕを有しており、この底部空間Ｕに前記排紙トレイ４を前方に引き出し可能に収納している。
【００１６】
排紙トレイ４は、図２ないし図８に示すように、用紙Ｐを先に受ける基端側が前記底壁１１と略平行をなし且つ先端側に向かって漸次上昇するように湾曲する用紙案内面Ｓを備えたものである。この排紙トレイ４は、テレスコープ状に引き出し可能な複数枚のトレイメンバ４１、４２を備えてなる。具体的には、前記排紙トレイ４は、図２及び図３に示すように、前記機器本体１に保持され前記底壁１１に重合する収納位置４１（ｃ）から、図４及び図５に示すように、用紙Ｐを案内し得る使用位置４１（ｏ）までの間でスライド可能な第１のトレイメンバ４１と、この第１のトレイメンバ４１に保持され該第１のトレイメンバ４１に重合する収納位置４２（ｃ）から用紙Ｐを案内し得る使用位置４２（ｏ）までの間でスライド可能な第２のトレイメンバ４２とを備えてなる。しかして、前記用紙案内面Ｓは、前記第１のトレイメンバ４１の上面と、前記第２のトレイメンバ４２の上面とによって構成されている。
【００１７】
第１のトレイメンバ４１は、図４、図５及び図８に示すように、側面視部分円弧状に湾曲する上板４１１と、この上板４１１の下面における両側縁近傍に形成した側板４１２とを具備してなるもので、その上板４１１の左右両側縁部を前記機器本体１における側壁１２の内側面に配設した湾曲レール部１２１にスライド可能に支持させている。この第１のトレイメンバ４１における両側板４１２の内側には、前記第２のトレイメンバ４２をスライド可能に支持する案内レール部（図示せず）が形成されている。この案内レール部は前記側板４１２と平行を成すもので、第２のトレイメンバ４２の下面に一体に形成されている。前記側板４１２と前記案内レール部は上板４１１を補強するための補強リブとしての役割をも担っている。
【００１８】
第２のトレイメンバ４２は、図４、図５及び図８に示すように、側面視部分円弧状に湾曲する上板４２１と、この上板４２１の下面両側縁に形成した側板４２２とを具備してなるもので、その上板４２１の左右両側縁部を前記第１のトレイメンバ４１における側板４１２の内面に形成した案内レール部にスライド可能に支持させている。前記側板４２２と前記案内レール部は上板４２１を補強するための補強リブとしての役割をも担っている。この第２のトレイメンバ４２の上板４２１は、前記第１のトレイメンバ４１の上板４１１の下面と略同じ曲率で湾曲させてある。この第２のトレイメンバ４２の先端縁には、補助トレイメンバ４３がヒンジ４２３を介して取り付けられている。
【００１９】
補助トレイメンバ４３は、図４ないし図７に示すように、前記第２のトレイメンバ４２よりも狭い横幅寸法を有したもので、前記第２のトレイメンバ４２に重合する収納位置４３（ｃ）から前記用紙Ｐを案内し得る使用位置４３（ｏ）までの間で反転可能となっている。この補助トレイメンバ４３は、板状のもので、前記第２のトレイメンバ４２の上面に形成した凹陥部４２４に嵌り込むようにして該第２のトレイメンバ４２に重合するようにしてあり、補助トレイメンバ４３を重合させた状態で前記第２のトレイメンバ４２を前記第１のトレイメンバ４１の下に収納することができるようになっている。
【００２０】
この補助トレイメンバ４３の基端縁中央部分には、図７に示すように、該補助トレイメンバ４３の厚み方向に膨出する摘み部４３１が設けてある。具体的には、この摘み部４３１は、前記補助トレイメンバ４３の基端縁中央部分を用紙案内面Ｓと反対側へ部分球面状に膨出させたもので、摘み部４３１の端は、排紙トレイ４を完全に収納した状態において、図２に示すように、前記両トレイメンバ４１、４２の先端縁と平面視において略連続するように形成されている。換言すれば、この摘み部４３１は、収納状態において、前記両トレイメンバ４１、４２の先端縁から前方に突出することがないような形状をなしている。しかして、図８に示すように、前記第２のトレイメンバ４２の先端縁中央部分には、前記摘み部４３１を上下から摘む動作を許容するための切欠部４２５が形成してある。また、図６に示すように、前記第１のトレイメンバ４１の先端縁中央部分には、収納時に前記摘み部４３１を受け入れるための受入凹部４１３が形成されている。さらに、この実施形態では、前記排紙トレイ４全体を、両トレイメンバ４１、４２の先端縁が前記機器本体１の底壁１１の前縁に平面視において略合致する位置まで収納し得るようにしてあるため、前記底壁１１の前縁中央部分にも、前記摘み部４３１を受け入れるための受入凹部１１１が形成されている。さらに、前記摘み部４３１の先端縁における高さ位置は、前記底壁１１の上面よりも低く、又は略同じ高さとしており、排紙トレイ４を完全に収納した状態において、図３に示すように、前記摘み部４３１が前記受入凹部１１１、４１３に嵌め込まれるように形成されている。換言すれば、この摘み部４３１は、収納状態において、前記底壁１１から上方に突出することがないような形状をなしている。したがって、摘み部４３１が厚み方向に膨出しているにもかかわらず、収納した状態の厚み方向の嵩が高くなることを抑制できる。
【００２１】
このような構成のものであれば、排紙トレイ４を機器本体１に押入させることによって、該排紙トレイ４全体を略完全に底壁１１の下に収納することができる。かかる収納状態から、前記摘み部４３１を上下から摘んで手前に牽引すると、この排紙トレイ４の第１のトレイメンバ４１と第２のトレイメンバ４２とをテレスコープ状に引き出すことができ、湾曲した用紙案内面Ｓが表出することになる。
【００２２】
この状態でスキャナを使用した場合、機器本体１の排紙口３から導出される用紙Ｐの先端は、まず用紙案内面Ｓの水平な部分で案内支持された後、漸次上方に持ち上げられながら排出される。そのため、平面姿勢のまま用紙Ｐを案内する場合に比べて、用紙Ｐに対する減速作用が大きくなり、用紙Ｐが排紙トレイ４を越えて前方に滑落する可能性を効果的に抑制することができる。すなわち、このような排紙トレイ４であれば、用紙Ｐの先端側が斜め上前方に反り上がるようにしてはみ出すことになる。そのため、用紙Ｐが反り上がることなく平面姿勢ではみ出す場合よりもはみ出し部分が垂れ下がる可能性を低くすることができる。したがって、引き出し寸法の比較的小さな排紙トレイ４を用いて比較的大きな寸法の用紙Ｐを適切に受け止めることが可能となる。
【００２３】
また、このようなものであれば、用紙案内面Ｓが排紙口３付近からすぐに傾きを有する場合に比べて、排紙口３から排出された用紙Ｐが用紙案内面Ｓに水平でない角度を有して接触することによる抵抗を抑制でき、そのため、スキャン速度に与える悪影響を最小限に抑えることができる。
【００２４】
また、摘み部４３１上に乗り上げるようにして用紙Ｐが排出されるため、用紙Ｐと摘み部４３１の周辺との間には、隙間ができる。したがって、排出された用紙Ｐが排紙トレイ４に密着して取りにくくなることを抑制できる。
【００２５】
さらに大きな用紙Ｐをスキャンする場合には、排紙トレイ４の補助トレイメンバ４３を使用位置４３（ｏ）に反転させればよい。すなわち、摘み部４３１を上下から摘んで第１、第２のトレイメンバ４２を使用位置４２（ｏ）まで引き出した後、摘み部４３１の上面側に掛けている指で摘み部４３１の縁を手前下方に引き下ろすと、この摘み部４３１がレバーとしての機能を発揮して、前記補助トレイメンバ４３が一気に使用位置４３（ｏ）に反転することになる。前記摘み部４３１は、該補助トレイメンバ４３の厚み方向に膨出させてあるため、この摘み部４３１の縁は前記ヒンジ４２３の回転中心から偏移することとなり、反転用の操作レバーとしての役割をも果たすことになるからである。
【００２６】
このように、本実施形態に係るスキャナは、第１のトレイメンバ４１のみ引き出す第一態様、第２のトレイメンバ４２をさらに引き出す第二態様、さらに補助トレイメンバ４３を使用位置４３（ｏ）に反転させる第三態様、並びに、トレイメンバ４１、４２を完全に引き出すことなく収納状態と第一態様との間の中間態様や、第一態様と第二態様との間の中間態様での使用等、排紙される用紙Ｐの大きさに合わせて排紙トレイ４の態様を選択し、種々の状況に対応させることができる。
【００２７】
以上のような構成とすることにより、本実施形態に係るスキャナは、略水平方向に用紙Ｐを排出するための排紙口３を有した機器本体１と、この機器本体１の底壁１１側に設けられ排紙方向に引き出し可能な排紙トレイ４とを備えてなるスキャナであって、前記排紙トレイ４が、用紙Ｐを先に受ける基端側が前記底壁１１と略平行をなし且つ先端側に向かって漸次上昇するように湾曲する用紙案内面Ｓを備えたものであることを特徴とするので、機器本体１の排紙口３から導出される用紙Ｐの先端が、まず第１のトレイメンバ４１の基端部付近における用紙案内面Ｓの水平な部分で案内支持された後、漸次上方に持ち上げられながら排出され、平面姿勢のまま用紙Ｐを案内する場合に比べて、用紙Ｐに対する減速作用が大きくなり、用紙Ｐが排紙トレイ４を越えて前方に滑落する可能性を効果的に抑制することができる。
【００２８】
また、用紙Ｐの先端側が斜め上前方に反り上がるようにしてはみ出すことになるため、用紙Ｐが反り上がることなく平面姿勢ではみ出す場合よりもはみ出し部分が垂れ下がる可能性を低くすることができ、比較的引き出し寸法の小さな排紙トレイ４を用いて比較的大きな寸法の用紙Ｐを適切に受け止めることが可能となる。さらに、同じ大きさの用紙Ｐを排出したときに、用紙Ｐを平面姿勢のまま用紙Ｐを案内する場合に比べて、機器本体１の排紙口３より手前のスペースをより小さくできるとともに、排紙トレイ４の先端側と卓上との間に形成される空間を使用者の自由に使用することができる。
【００２９】
排紙トレイ４が、テレスコープ状に引き出し可能な２枚のトレイメンバ４１、４２を備えたものであるので、機器を使用しない時には、それら２枚のトレイメンバ４１、４２を機器本体１に押入させることによって、排紙トレイ４全体を略完全に底壁１１の下に収納することができるとともに、かかる収納位置４３（ｃ）から、摘み部４３１を上下から摘んで手前に牽引して排紙トレイ４を引き出すと、２枚のトレイメンバ４１、４２の上面である湾曲した用紙案内面Ｓを表出させることができる。
【００３０】
排紙トレイ４が、前記機器本体１に保持され前記底壁１１に重合する収納位置４１（ｃ）から用紙Ｐを案内し得る使用位置４１（ｏ）までの間でスライド可能な第１のトレイメンバ４１と、この第１のトレイメンバ４１に保持され該第１のトレイメンバ４１に重合する収納位置４２（ｃ）から用紙Ｐを案内し得る使用位置４２（ｏ）までの間でスライド可能な第２のトレイメンバ４２とを備えてなるものであれば、排紙トレイ４全体を略完全に底壁１１の下に収納された収納位置４２（ｃ）から、排紙トレイ４の第１のトレイメンバ４１のみ、又は、第１のトレイメンバ４１及び第２のトレイメンバ４２を選択的に使用位置４１（ｏ）、４２（ｏ）まで引き出すことができ、排出される用紙Ｐの大きさに合わせて湾曲した用紙案内面Ｓが表出させることができる。
【００３１】
排紙トレイ４が、前記トレイメンバ４１、４２の最先端縁、つまり第２のトレイメンバ４２の再先端縁にヒンジ４２３を介して取り付けられ前記トレイメンバ４２の上面一部に形成された凹陥部４２４に収まる収納位置４３（ｃ）から前記用紙案内面Ｓを延長し得る使用位置４３（ｏ）までの間で反転可能な補助トレイメンバ４３をさらに備えたものであるので、比較的大きな用紙Ｐ（例えば、Ａ３サイズの用紙Ｐ）をスキャンする場合には、排紙トレイ４の補助トレイメンバ４３を使用位置４３（ｏ）に反転させて使用することができる。また、このように補助トレイを使用位置４３（ｏ）に反転させれば、比較的大きな用紙Ｐを使用する場合であっても、用紙Ｐの先端が排紙トレイ４よりも先方にはみだすこと及びそのはみ出し部分が下方に垂れ下がる可能性を低くすることができる。また、補助トレイメンバ４３を使用しない場合には、第２のトレイメンバ４２の上面に形成した凹陥部４２４に嵌り込むようにして第２のトレイメンバ４２に重合させた状態で前記第２のトレイメンバ４２を前記第１のトレイメンバ４１の下に収納することができ、このように用紙Ｐの大きさに合わせて補助トレイメンバ４３の使用を選択することができる。
【００３２】
なお、本発明は以上に述べたような実施形態に限らず種々変更可能である。
【００３３】
排紙トレイ４は、以上説明した実施形態のものに限定されないのは勿論であり、補助トレイメンバを有しないものであってもよい。また、二枚のトレイメンバを備えたもの以外に、三枚以上のトレイメンバをテレスコープ状に組み合わせたものや、一枚のトレイメンバのみからなるもの等であってもよい。
【００３４】
また、前記実施形態では、卓上に載置して使用する機器について説明したが、それ以外の形態の機器にも同様に適用が可能である。しかしながら、本発明を卓上機器に適用すれば、限られたスペースである卓上を有効利用することが可能になる。すなわち、排紙トレイ４の先端側が斜め前方に反り上がっているため、同じ大きさの用紙を排出したときに、用紙Ｐを平面姿勢のまま用紙を案内する場合に比べて、機器本体の排紙口より手前のスペースをより小さくできる。さらに、排紙トレイの先端側の下側空間が自由に使えるため、卓上に機器を載置した場合に、当該機器の排出口付近に筆記用具や書類等が載置されていたとしてもこれらが前記下側空間に収まる構造となり、機器を使用するにあたって機器の排出口付近を片付ける必要がなくなる点で有効である。
【００３５】
また、排紙口に排紙トレイを備えた機器であれば、上記説明したスキャナに限られず、プリンタ或いはファクシミリ等であってもよい。
【００３６】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００３７】
【図１】本発明の一実施形態を示す全体右側断面図。
【図２】同実施形態の排紙トレイを収納した状態を示す斜視図。
【図３】同実施形態の排紙トレイを収納した状態を示す部分側断面図。
【図４】同実施形態の第１及び第２のトレイメンバを引き出した状態を示す斜視図。
【図５】同実施形態の第１及び第２のトレイメンバを引き出した状態を示す部分側断面図。
【図６】同実施形態の補助トレイメンバを引き出した状態を示す斜視図。
【図７】同実施形態の補助トレイメンバを引き出した状態を示す部分側断面図。
【図８】同実施形態の第１のトレイメンバを引き出した状態を示す底面斜視図。
【符号の説明】
【００３８】
１…機器本体
１１…底壁
３…排紙口
４…排紙トレイ
４１…第１のトレイメンバ
４２…第２のトレイメンバ
４２３…ヒンジ
４２４…凹陥部
４３…補助トレイメンバ
Ｐ…用紙
Ｓ…用紙案内面
（ｃ）…収納位置
（ｏ）…使用位置
【図１】
2010132434.tif 000003
【図２】
2010132434.tif 000004
【図３】
2010132434.tif 000005
【図４】
2010132434.tif 000006
【図５】
2010132434.tif 000007
【図６】
2010132434.tif 000008
【図７】
2010132434.tif 000009
【図８】
2010132434.tif 000010